(57)【要約】【課題】払出速度の高速化に対応可能なソレノイド式の球払出装置を提供する。【解決手段】球払出装置１は、球払出通路５に一部が臨設され、遊技球９の自重落下を許容および禁止する回転カム１３と、回転カム１３に連動回転するラチェット１８と、ラチェット１８のラチェット爪１９に係脱可能な始動爪２２および停止爪２３を有する揺動ストッパ２１と、揺動ストッパ２１を駆動するソレノイド２４とを備える。揺動ストッパ２１は、ソレノイドがＯＮすると、始動爪２２がラチェット１８から離反する一方、停止爪２３がラチェット１８に接近する。ラチェット１８および揺動ストッパ２１、始動爪２２が離反してラチェット爪１９との係合を解除した時に、接近した停止爪２３が他のラチェット爪１９に接触して回転方向の力を加えるように設けられている。【選択図】図４
2020146128.tif 000002
【特許請求の範囲】
【請求項１】
球払出通路に一部が臨設され、遊技球の自重落下を許容および禁止する回転カムと、
前記回転カムに連動回転するラチェットと、
前記ラチェットのラチェット爪に係脱可能な始動爪および停止爪を有する揺動ストッパと、
前記揺動ストッパを駆動するソレノイドと、を備え、
前記揺動ストッパは、前記ソレノイドがＯＮすると、前記始動爪が前記ラチェットから離反する一方、前記停止爪が前記ラチェットに接近し、
前記ラチェットおよび前記揺動ストッパは、前記始動爪が離反して前記ラチェット爪との係合を解除した時に、接近した前記停止爪が他のラチェット爪に接触して回転方向の力を加えるように設けられている球払出装置。
【請求項２】
前記停止爪は、ラチェット爪に接触して回転方向の力を加える形状を有する請求項１に記載の球払出装置。
【請求項３】
前記ラチェット爪は、前記停止爪に接触して回転方向に押される形状を有する請求項１に記載の球払出装置。
【発明の詳細な説明】
【技術分野】
【０００１】
本発明は、遊技機において球皿へ遊技球の払い出しを行う球払出装置に関する。
【背景技術】
【０００２】
遊技機や台間機における遊技球の払出部には、球払出装置が配設されている。本願出願人も、先にラチェットと回転カムとを備えたソレノイド式の球払出装置を出願している（特許文献１）。この球払出装置は、球払出通路に一部が臨設された回転カムを備えており、回転カムにて遊技球の自重落下を許容および禁止するようになっている。回転カムはラチェットと連動回転し、ラチェットの回転が揺動ストッパにて規制される。揺動ストッパはラチェットのラチェット爪に係脱可能な始動爪と停止爪とを有し、ソレノイドで駆動される。
【０００３】
ソレノイドがＯＮすると、揺動ストッパの始動爪がラチェットから離反して始動爪とラチェット爪との係合が解除され、回転カムが回転可能になる。これにより、遊技球の自重落下が許容される。ソレノイドは、一定時間ＯＮした後ＯＦＦする。ソレノイドがＯＦＦすると、揺動ストッパの始動爪が再びラチェットに接近し、始動爪とラチェット爪とが係合する。これにより、回転カムの回転が規制され、遊技球の自重落下が禁止される。ソレノイドの駆動周期は、１回のＯＮで遊技球が１球自重落下するように設定されている。
【０００４】
揺動ストッパの停止爪は、ソレノイドがＯＮして始動爪がラチェットから離反するとラチェットに接近し、ソレノイドがＯＦＦして始動爪がラチェットに接近するとラチェットから離反する。ソレノイドの駆動周期は、接近した停止爪とラチェット爪とが係合する前にＯＦＦして、停止爪を離反させるように設定されている。したがって、通常は、停止爪とラチェット爪との係合は起こず、故障等でソレノイドがＯＮし続けるような場合に係合して回転カムの回転を規制する。
【０００５】
また、球払出装置としては、上述したソレノイド式以外に、アクチュエータにモータを用いたモータ式が知られている（例えば特許文献２）。モータ式には、ソレノイド式に比べて高速の払出速度に対応できるといった利点がある。一方、ソレノイド式には、モータ式に比べて球払出装置を制御する払出制御回路を簡素にできるといった利点がある。
【先行技術文献】
【特許文献】
【０００６】
【特許文献１】特開平７−２６５５２０号公報
【発明の概要】
【発明が解決しようとする課題】
【０００７】
本願は、特許文献１に記載されたソレノイド式の球払出装置の改良を図るものである。特許文献１に記載された球払出装置において、上述したように、回転カムは、遊技球の自重による落下によって回転する構成となっている。そのため、回転カムの回転速度が、ラチェット、回転カム、およびこれらを連動回転させるためのギヤ等からなる機構部のメカ的な負荷による制約を受ける。また、機構部のメカ的な負荷だけでなく、遊技球から受ける荷重の大きさによる制約も受ける。通路に連続した球数が少ない場合や通路形状によって荷重が小さい場合、回転速度が遅くなる。
【０００８】
特に、球払出装置が遊技機の払出部に設置される場合、モータ式と同等の高速の払出速度が要求される。しかしながら、回転カムの回転速度が十分に得られない場合、高速の要求にしたがってソレノイド駆動周期を高速に設定しても、回転カムがソレノイドの動きに追従できず、払出過少となる可能性がある。
【０００９】
本発明は、払出速度の高速化に対応可能なソレノイド式の球払出装置を提供することを目的としている。
【課題を解決するための手段】
【００１０】
本発明は、上記課題を解決するために、以下の構成を採用している。
【００１１】
すなわち、本発明の一側面に係る球払出装置は、球払出通路に一部が臨設され、遊技球の自重落下を許容および禁止する回転カムと、前記回転カムに連動回転するラチェットと、前記ラチェットのラチェット爪に係脱可能な始動爪および停止爪を有する揺動ストッパと、前記揺動ストッパを駆動するソレノイドと、を備え、前記揺動ストッパは、前記ソレノイドがＯＮすると、前記始動爪が前記ラチェットから離反する一方、前記停止爪が前記ラチェットに接近し、前記ラチェットおよび前記揺動ストッパは、前記始動爪が離反して前記ラチェット爪との係合を解除した時に、接近した前記停止爪が他のラチェット爪に接触して回転方向の力を加えるように設けられている。
【００１２】
上記構成によれば、揺動ストッパの始動爪が離反してラチェット爪との係合を解除した時に、接近した揺動ストッパの停止爪が他のラチェット爪に接触して回転方向の力を加える。これにより、遊技球の荷重による回転に加えて回転カムの動き出しをアシストすることができ、前述した機構部のメカ的な負荷や、回転カムを自重で回転させるための遊技球の荷重による制約があったとしても回転カムの回転速度を上げることができる。よって、ソレノイド駆動周期を高速にしても、ラチェットおよび回転カムが追従して動作することが可能となり、モータ式と同等の払出速度に対応可能となる。
【００１３】
上記一側面に係る球払出装置において、前記停止爪は、ラチェット爪に接触して回転方向の力を加える形状を有する構成としてもよい。このような構成とすることで、停止爪がラチェット爪に接触して回転方向の力を加える構成を容易に実現することができる。また、既存の球払出装置におけるラチェットおよび揺動ストッパの位置関係が、始動爪がラチェット爪との係合を解除した時に停止爪が他のラチェット爪と接触可能な関係を元々有している場合は、停止爪が上記形状を有する揺動ストッパに交換するだけで、払出速度を上げることができる。
【００１４】
上記一側面に係る球払出装置において、前記ラチェット爪は、前記停止爪に接触して回転方向に押される形状を有する構成としてもよい。このような構成とすることで、停止爪がラチェット爪に接触して回転方向の力を加える構成を容易に実現することができる。また、既存の球払出装置におけるラチェットおよび揺動ストッパの位置関係が、始動爪がラチェット爪との係合を解除した時に停止爪が他のラチェット爪と接触可能な関係を元々有している場合は、ラチェット爪が上記形状を有するラチェットに交換するだけで、払出速度を上げることができる。
【発明の効果】
【００１５】
本発明によれば、払出速度の高速化に対応可能なソレノイド式の球払出装置を提供することができる。
【図面の簡単な説明】
【００１６】
【図１】本実施形態に係る球払出装置の適用例を例示するもので、球払出装置が搭載されている遊技機の構成を示す斜視図である。
【図２】上記遊技機の背面側を示した図であり（ａ）は背面図、（ｂ）は斜視図である。
【図３】上記球払出装置の内部構造を示す説明図であり、ソレノイドのＯＦＦ時の状態を示している。
【図４】上記球払出装置の内部構造を示す説明図であり、ソレノイドのＯＮ時の状態を示している。
【図５】（ａ）は、上記球払出装置におけるソレノイドのＯＦＦ時の要部を示す説明図であり、（ｂ）は、ソレノイド２４のＯＮ時の要部を示す説明図であり、（ｃ）は、ソレノイドに対するデューティ比を示す説明図である。
【図６】図４の○印部分の拡大図である。
【図７】（ａ）〜（ｃ）は共に、球払出装置の球払出動作時の各部の動きを示す説明図である。
【図８】（ａ）〜（ｃ）は共に、球払出装置の球払出動作時の各部の動きを示す説明図である。
【図９】他の実施形態の球払出装置の内部構造を示す説明図であり、ソレノイドのＯＮ時の状態を示している。
【発明を実施するための形態】
【００１７】
以下、本発明の一側面に係る実施形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【００１８】
§１  適用例
まず、本発明が適用される場面の一例について説明する。図１は、本実施形態に係る球払出装置１の適用例を例示するもので、球払出装置１が搭載されている遊技機１００の構成を示す斜視図である。遊技機１００はパチンコ機である。図１に示すように、遊技機１００は、遊技領域１０１、ハンドル１０２、上球皿１０３、下球皿１０４等を備えている。遊技領域１０１は、ハンドル１０２によって打ち出された遊技球（遊技媒体）が移動する領域である。ハンドル１０２は、遊技球の発射操作を行うための装置であり、利用者がハンドル１０２を回した状態で保持すると、遊技球が連続発射されて遊技領域１０１に打ち出される。
【００１９】
上球皿１０３は、遊技において獲得した遊技球、または、球貸し操作にて貸し出された遊技球が貯留され、下球皿１０４は、上球皿１０３から溢れた遊技球が貯留される。つまり、遊技領域１０１に設けられた入賞口（不図示）に遊技球が入賞すると、入賞口に応じて設定されている数の遊技球が、遊技機１００の背面側に設置された球払出装置１（図２参照）より上球皿１０３または下球皿１０４に払い出される。
【００２０】
図２は、遊技機１００の背面側を示した図であり（ａ）は背面図、（ｂ）は斜視図である。図２の（ａ）（ｂ）に示すように、遊技機１００の背面には、貯留タンク１０５、球整列通路１０６、縦型球通路１０７、球払出装置１等が設置されている。貯留タンク１０５は、遊技機１００の背面上部に設けられており、遊技島の補給シュート（不図示）から遊技機１００に供給される遊技球を一時的に貯留する収容部である。球整列通路１０６は、遊技球を整列させて流す通路であり、上流側が貯留タンク１０５に接続され、下流側が縦型球通路１０７に接続されている。縦型球通路１０７は、遊技球を上方から下方に（重力方向に向けて）落下させる通路であり、上流側が球整列通路１０６に接続され、下流側が球払出装置１に接続されている。これにより、遊技島の補給シュート（不図示）から遊技機１００に供給された遊技球は、貯留タンク１０５、球整列通路１０６、縦型球通路１０７を順に経由して、球払出装置１へ供給される。
【００２１】
球払出装置１は、図示しない払出制御回路から払出信号を受信すると、指示された数の遊技球を上球皿１０３または下球皿１０４へ払い出す装置である。球払出装置１は、図３に示すように、球払出通路５に一部が臨設され、遊技球９の自重落下を許容および禁止する回転カム１３と、回転カム１３に連動回転するラチェット１８と、ラチェット１８のラチェット爪１９に係脱可能な始動爪２２および停止爪２３を有する揺動ストッパ２１と、揺動ストッパ２１を駆動するソレノイド２４と、を備えている。揺動ストッパ２１は、ソレノイド２４がＯＮすると、始動爪２２がラチェット１８から離反する一方、停止爪２３がラチェット１８に接近する。ラチェット１８および揺動ストッパ２１は、始動爪２２が離反してラチェット爪１９との係合を解除した時に、接近した停止爪２３が他のラチェット爪１９に接触して回転方向の力を加えるように設けられている。
【００２２】
これにより、遊技球の払出時に、遊技球９の荷重による回転に加えて、回転カム１３の動き出し（初動）をアシストすることができ、機構部（ラチェット１８、回転カム１３、大径ギヤ１５、小径ギヤ１７等）のメカ的な負荷が大きかったり、遊技球９の荷重が小さかったりしても、回転カム１３の回転速度を上げることができる。よって、ソレノイド２４の駆動周期を高速にしてもラチェット１８および回転カム１３が追従して動作することが可能となり、モータ式と同等の払出速度に対応可能となる。
【００２３】
§２  構成例
〔実施形態１〕
以下、本発明の一側面における実施形態を、図３〜図８に基づいて例示する。
【００２４】
（球払出装置１の構成）
図３、図４は、何れも球払出装置１の内部構造を示す説明図である。図３は後述するソレノイド２４のＯＦＦ時の状態を示し、図４はソレノイド２４のＯＮ時の状態を示す。図３、図４に示すように、球払出装置１はハウジング１０を備え、このハウジング１０の一側内部に、前述の縦型球通路１０７と連通する球払出通路５と球抜き通路６とが並設されている。球抜き通路６は、遊技球を排出する際に使用される通路である。球抜き通路６は、通常は球抜き部材７にて閉塞されており、遊技球９は球払出通路５を流下する。
【００２５】
球払出通路５には、通路壁１１の一部に形成された開口１１ａから球払出通路５内に向けて、回転カム１３の一部が臨設されている。回転カム１３は外周に球切部１３ａを残して、円弧状の凹部１３ｂを等間隔に形成したカムである。回転カム１３はハウジング１０に突設固設された軸１４に対して、大径ギヤ１５と共に一体回転するように取り付けられ、遊技球９の自重落下を許容および禁止する。回転カム１３と同軸１４に設けられた大径ギヤ１５は、球払出通路５の外部に配設されている。
【００２６】
ハウジング１０には、前述の軸１４の他、ラチェット軸１６および支軸２０が突設固設されている。このうち、ラチェット軸１６には、小径ギヤ１７とラチェット１８とが一体回転するように取り付けられている。小径ギヤ１７は前述の大径ギヤ１５に常時噛合される。これにより、回転カム１３とラチェット１８とは連動回転する。ラチェット１８の外周部には、円周上等間隔（図３の例では９０度の等間隔）にて複数のラチェット爪１９が一体形成されている。
【００２７】
一方、支軸２０には、揺動ストッパ２１が揺動可能に配設されている。揺動ストッパ２１の下部には始動爪２２が一体に形成され、上部には停止爪２３が一体に形成されている。始動爪２２および停止爪２３は、前述のラチェット１８のラチェット爪１９に対して係脱可能に構成されている。
【００２８】
このような揺動ストッパ２１は、ソレノイド２４の可動鉄片２５により揺動駆動される。揺動ストッパ２１の上部に形成された凹部２１ａに可動鉄片２５の下部遊端が挿入され、この可動鉄片２５の上部遊端と固定部材２６との間に、引張りバネにより構成されるリターンスプリング２７が張架されている。
【００２９】
図３に示すように、ソレノイド２４のＯＦＦ時、リターンスプリング２７のバネ力により可動鉄片２５を介して揺動ストッパ２１は矢印ａの方向へ移動する。揺動ストッパ２１が矢印ａの方向へ移動した状態では、下部の始動爪２２がラチェット１８に接近し、ラチェット爪１９と係合可能となる。上部の停止爪２３はラチェット１８から離反する。
【００３０】
一方、図４に示すように、ソレノイド２４のＯＮ時、電磁力により可動鉄片２５がリターンスプリング２７のバネ力に抗して吸引され、揺動ストッパ２１は矢印ｂの方向へ移動する。揺動ストッパ２１が矢印ｂの方向へ移動した状態では、上部の停止爪２３がラチェット１８に接近し、ラチェット爪１９と係合可能となる。下部の始動爪２２はラチェット１８から離反し、ラチェット爪１９と係合が解除される。始動爪２２とラチェット爪１９との係合が解除されることで、ラチェット１８および回転カム１３が回転可能となる。
【００３１】
そして、詳細については後述するが、ラチェット１８および揺動ストッパ２１は、回転カム１３の動き出しをアシストすべく、始動爪２２が離反してラチェット爪１９との係合を解除した時に、接近した停止爪２３が他のラチェット爪１９に接触して回転方向の力を加えるように設けられている。
【００３２】
また、上述のハウジング１０の他側内壁には、第１ストッパ部材２８および第２ストッパ部材２９が形成されている。第１ストッパ部材２８は、ソレノイド２４のＯＦＦ時に、始動爪２２とラチェット爪１９との所定の係合状態（図３に示す状態）を確保するための部材である。第２ストッパ部材２９は、ソレノイド２４のＯＮ時に、停止爪２３とラチェット１８との位置関係（図４に示す位置関係）を適正に保つための部材である。さらに、上述のソレノイド２４における可動鉄片２５と対向する側にはストッパ片３０が設けられている。ストッパ片３０は、ソレノイド２４のＯＮ時における可動鉄片２５の適正な姿勢を確保するための突起である。
【００３３】
次に、図５の（ａ）〜（ｃ）を用いて、ラチェット１８と揺動ストッパ２１との相対関係、および、払出制御回路によるソレノイド２４へのＯＮ時間の設定について説明する。図５の（ａ）は、球払出装置１におけるソレノイド２４のＯＦＦ時の要部を示し、図５の（ｂ）は、ソレノイド２４のＯＮ時の要部を示し、図５の（ｃ）は、ソレノイド２４に対するデューティ比を示す説明図である。
【００３４】
ラチェット１８と揺動ストッパ２１とは、図５の（ａ）に示す第１開角θ１に対して、図５の（ｂ）に示す第２開角θ２が小さくなる（θ２＜θ１）ように設定されている。第１開角θ１は、ソレノイド２４のＯＦＦ時にラチェット１８から離反している停止爪２３とラチェット中心（ラチェット軸１６の中心）とを結ぶ線と、次のラチェット爪１９とラチェット中心とを結ぶ線との成す角である。一方、第２開角θ２は、ソレノイド２４のＯＮ時にラチェット１８から離反する始動爪２２とラチェット中心とを結ぶ線と、次のラチェット爪１９とラチェット中心とを結ぶ線との成す角である。
【００３５】
そして、払出制御回路によるソレノイド２４へのＯＮ時間は、図５の（ｃ）に示すように、始動爪２２がラチェット爪１９に対する係合を解除した時点ｔ１から上述の停止爪２３がラチェット爪１９に当接する直前時点ｔ２まで継続されるデューティ比に設定されている。
【００３６】
このような構成では、ソレノイド２４がＯＮして係合を解除した始動爪２２は、停止爪２３にラチェット爪１９が到達する直前にソレノイド２４がＯＦＦすることで、係合を解除したラチェット爪１９の次のラチェット爪１９に係合する。したがって、ラチェット１８は、これらの各ラチェット爪１９，１９間で回転途中に何等停止されない状態下において回転し、１パルスにつき１個の遊技球９を払出すことができる。一方、停止爪２３は、ソレノイド２４のＯＮ毎にラチェット１８に接近し、その都度、ラチェット爪１９と係合する直前で離反される動作の繰り返しとなる。
【００３７】
次に、図６を用いて、図４、図６を用いて、回転カム１３の動き出しをアシストする構成について説明する。図６は、図４の○印部分の拡大図である。上述したように、回転カム１３の動き出しをアシストすべく、ラチェット１８および揺動ストッパ２１が、始動爪２２が離反してラチェット爪１９との係合を解除した時に、接近した停止爪２３が他のラチェット爪１９に接触して回転方向の力を加えるように設けられている。
【００３８】
具体的には、ラチェット１８および揺動ストッパ２１は、始動爪２２が離反してラチェット爪１９との係合を解除した時に、接近した停止爪２３が他のラチェット爪１９と接触可能な位置関係を有している。図４の例では、停止爪２３は、始動爪２２が係合を解除したラチェット爪１９の次のラチェット爪１９と接触可能な位置関係となっている。なお、接近した停止爪２３が係合してラチェット１８の回転を停止させるラチェット爪１９は、その次（始動爪２２が係合を解除したラチェット爪１９の次の次）のものである。
【００３９】
そして、本実施形態では、図６に示すように、停止爪２３が、ラチェット爪１９に接触して回転方向の力を加える形状を有している。具体的には、ラチェット爪１９の始動爪２２または停止爪２３と係合する係合面１９ａの回転方向後方の傾斜面１９ｂに向かって膨らんだ厚肉形状２３ｂを有する。なお、図中、参照符号２３ａにて示す面が、ラチェット爪１９の係合面１９ａと係合する停止爪２３側の係合面である。
【００４０】
このような構成とすることで、始動爪２２による係合が解除されと同時にラチェット１８をその回転方向に押し出すことができ、ラチェット１８に連動回転する回転カム１３の動き出しをアシストすることができる。以下、図７の（ａ）〜（ｃ）、および図８の（ａ）〜（ｃ）を用いて、球払出動作時の各部の動きを説明する。
【００４１】
図７の（ａ）〜（ｃ）、図８の（ａ）〜（ｃ）は、球払出装置１の球払出動作時の各部の動きを示す説明図である。図７の（ａ）は、基本ポジションにある状態で、ソレノイド２４はＯＦＦ状態である。この状態では、ラチェット１８に設けたラチェット爪１９に揺動ストッパ２１の始動爪２２が係合しており、ラチェット１８、小径ギヤ１７、大径ギヤ１５、回転カム１３の回転が規制されている。そして、球払出通路５の遊技球９は、回転カム１３の球切部１３ａに係止され、払い出し（流下）が停止（禁止）されている。
【００４２】
このような状態にある球払出装置１に対し、前述した払出制御回路より遊技球９の払出しが指示されると（パルス信号の入力）、図７の(ｂ)に示すように、ソレノイド２４がＯＮして揺動ストッパ２１が矢印ｂの方向に移動する。これにより、始動爪２２がラチェット１８から離反し、始動爪２２とラチェット爪１９との係合が解除され、ラチェット１８、小径ギヤ１７、大径ギヤ１５、回転カム１３が回転可能になる。停止爪２３はラチェット１８に接近する。
【００４３】
図７の(ｃ)は、図７の(ｂ)よりわずかに時間が経過した状態を示す。図７の(ｃ)に示すように、揺動ストッパ２１の矢印ｂの方向への移動に伴い、ラチェット１８に接近した停止爪２３が、始動爪２２との係合が解除されたラチェット爪１９の次のラチェット爪１９の傾斜面１９ｂを押し出すように力を加えて、ラチェット１８の動き出し（初動、回転開始）をアシストする。
【００４４】
図７の(ｂ)に示す状態では、ラチェット１８、小径ギヤ１７、大径ギヤ１５、回転カム１３を回転させるための力は、回転カム１３の球切部１３ａに係止されている遊技球９の荷重のみであった。そのため、遊技球９の荷重が小さい、あるいは、ラチェット１８、小径ギヤ１７、大径ギヤ１５、回転カム１３等の機構部の負荷が大きいと、回転カム１３の動き出しが遅れてしまう。しかしながら、このように、停止爪２３にてラチェット１８の動き出しをアシストすることで、遊技球９の荷重が小さくても、また、機構部の負荷が大きくても、ラチェット１８、小径ギヤ１７、大径ギヤ１５、回転カム１３がスムーズに回転を開始する。
【００４５】
図８の（ａ）に示すように、ラチェット１８、小径ギヤ１７、大径ギヤ１５、回転カム１３が回転することで、球切部１３ａにて流下が停止されていた遊技球９は、球切部１３ａを抜けて球払出通路５を流下する。
【００４６】
図８の（ｂ）に示すように、一定時間経過するとソレノイド２４はＯＦＦして揺動ストッパ２１が矢印ａの方向に移動し、始動爪２２がラチェット爪１９に接近し、停止爪２３は離反する。ラチェット１８、小径ギヤ１７、大径ギヤ１５、回転カム１３は、次のラチェット爪１９が始動爪２２に当接するまで回転する。
【００４７】
図８の（ｃ）に示すように、始動爪２２とラチェット爪１９とが係合すると、ラチェット１８、小径ギヤ１７、大径ギヤ１５、回転カム１３の回転が規制され、図７の（ａ）の基本ポジションの状態に戻る。このとき、球切部１３ａには、先に払い出された遊技球９の次の遊技球９が係止され、払い出し（流下）が停止（禁止）されている。
【００４８】
（効果）
以上にように、上記構成では、ラチェット１８および揺動ストッパ２１が、始動爪２２が離反してラチェット爪１９との係合を解除した時に、接近した停止爪２３が他のラチェット爪１９に接触して回転方向の力を加えるように設けられている。
【００４９】
これにより、遊技球の払出時に、遊技球９の荷重による回転に加えて、回転カム１３の動き出し（初動）をアシストすることができ、機構部（ラチェット１８、回転カム１３、大径ギヤ１５、小径ギヤ１７等）のメカ的な負荷が大きかったり、遊技球９の荷重が小さかったりしても、回転カム１３の回転速度を上げることができる。よって、ソレノイド２４の駆動周期を高速にしてもラチェット１８および回転カム１３が追従して動作することが可能となり、よって、ソレノイド２４の駆動周期を高速にしてもラチェット１８および回転カム１３が追従して動作することが可能となり、モータ式と同等の払出速度に対応可能となる。
【００５０】
また、既存の球払出装置におけるラチェットおよび揺動ストッパの位置関係が、始動爪がラチェット爪との係合を解除した時に停止爪が他のラチェット爪と接触可能な関係を元々有している場合は、停止爪２３を有する揺動ストッパ２１に交換するだけで、払出速度を上げることができる。
【００５１】
〔実施形態２〕
以下、本発明の一側面における他の実施形態を、図９に基づいて例示する。なお、説明の便宜上、上記実施形態にて説明した部材と同じ機能を有する部材については、同じ符号を付記し、その説明を繰り返さない。
【００５２】
実施形態１においては、回転カム１３の動き出しをアシストする構成として、ラチェット１８および揺動ストッパ２１の位置関係を、始動爪２２が離反してラチェット爪１９との係合を解除した時に、接近した停止爪２３が他のラチェット爪１９と接触可能な関係にするとともに、揺動ストッパ２１の停止爪２３を、ラチェット爪１９に接触して回転方向の力を加える形状としていた。
【００５３】
これに対し、本実施形態では、図９に示すように、ラチェット４５および揺動ストッパ４０の位置関係を、始動爪２２が離反してラチェット爪４６との係合を解除した時に、接近した停止爪４１が他のラチェット爪４６と接触可能な関係としている点は同じであるが、停止爪４１を従来通りの形状とし、ラチェット爪４６を停止爪４１に接触して回転方向に押される形状としている点が異なる。図９は、本実施形態の球払出装置の内部構造を示す説明図であり、ソレノイドのＯＮ時の状態を示している。
【００５４】
つまり、本実施形態では、揺動ストッパ２１に代えて揺動ストッパ４０を備え、ラチェット１８に代えてラチェット４５を備えている。揺動ストッパ４０は、厚肉形状２３ｂが設けられていない停止爪４１を有する点が揺動ストッパ２１と異なる。ラチェット４５は、厚肉形状４６ｂが設けられたラチェット爪４６を有する点がラチェット１８と異なる。
【００５５】
このような構成としても、実施形態１の構成と同様に、ソレノイド２４の駆動周期を高速にしてもラチェット１８および回転カム１３が追従して動作することが可能となり、モータ式と同等の払出速度に対応可能となる。また、既存の球払出装置におけるラチェットおよび揺動ストッパの位置関係が、始動爪がラチェット爪との係合を解除した時に停止爪が他のラチェット爪と接触可能な関係を元々有している場合は、ラチェット爪４６を有するラチェット４５に交換するだけで、払出速度を上げることができる。
【００５６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００５７】
１  球払出装置
５  球払出通路
９  遊技球
１０  ハウジング
１１  通路壁
１１ａ  開口
１３  回転カム
１３ａ  球切部
１５  大径ギヤ
１６  ラチェット軸
１７  小径ギヤ
１８、４５、  ラチェット
１９、４６  ラチェット爪
２１、４０  揺動ストッパ
２２  始動爪
２３、４１  停止爪
２３ｂ、４６ｂ  厚肉形状
２４  ソレノイド
２５  可動鉄片
２６  固定部材
２７  リターンスプリング
１００  遊技機
１０７  縦型球通路
【図１】
2020146128.tif 000003
【図２】
2020146128.tif 000004
【図３】
2020146128.tif 000005
【図４】
2020146128.tif 000006
【図５】
2020146128.tif 000007
【図６】
2020146128.tif 000008
【図７】
2020146128.tif 000009
【図８】
2020146128.tif 000010
【図９】
2020146128.tif 000011